(57)【要約】      （修正有）【課題】便利かつ迅速に出射光角度を調整できる前照灯を提供する。【解決手段】前照灯であって、取付空間を画成するケーシングユニットと、取付座２と、複数の発光ユニット３と、調整ユニット４とを含む。該取付座２は、該取付空間に設けられ、複数の取付部２１を包括する。発光ユニット３は、各々取付部２１に取り付けられ、各発光ユニット３が発光部材と、該発光部材の前側に位置し、該発光部材の光が前へ通るために供されるレンズ３４とを含む。該調整ユニット４は、該取付座２上に取り付けられ、該取付座２の角度位置を調整するために用いられる調整部材４１を包括する。該ケーシングユニット内に設けられた該取付座２を通じて発光ユニット３の取り付けに供され、出射光角度を調整する時、該取付座２の角度位置のみを調整すると、一回で同時にそれら発光ユニット３の出射光角度の調整を完成させることができる。【選択図】図２
0003215982.tif 000002
【実用新案登録請求の範囲】
【請求項１】
取付空間を画成するケーシングユニットと、
前記取付空間に設けられ、複数の取付部を包括する取付座と、
各々前記取付座の前記取付部に取り付けられ、各発光ユニットが発光部材と、前記発光部材の前側に位置し、前記発光部材の光が前へ通るために供されるレンズとを含む複数の発光ユニットと、
前記取付座上に取り付けられ、前記取付座の角度位置を調整するために用いられる調整部材を包括する調整ユニットと、
を含むことを特徴とする前照灯。
【請求項２】
前記取付座は、前記ケーシングユニットと結合する結合部と、前記調整部材との螺接に供される調整孔とを更に含み、前記調整部材がスクリューで、駆動されて回転することで前記取付座を移動させて前記取付座の角度位置を変更できることを特徴とする請求項１に記載の前照灯。
【請求項３】
前記調整ユニットは、前記調整部材の回転を駆動するために用いられるモータを更に含むことを特徴とする請求項２に記載の前照灯。
【請求項４】
各発光ユニットは、前記発光部材に電気的に接続する回路基板と、前記発光部材の光を前記レンズに向かって反射するために用いられる反射カバーとを更に含むことを特徴とする請求項１に記載の前照灯。
【請求項５】
各発光ユニットは、放熱に用いられ、かつ複数の放熱フィンを備える放熱部材を更に含むことを特徴とする請求項４に記載の前照灯。
【請求項６】
各取付部は、周壁を包括し、前記周壁が前後方向に貫通する取付穴を環囲して画成し、各発光ユニットが各自の取付穴に取り付けられると共に各自の周壁で環囲されることを特徴とする請求項１に記載の前照灯。
【請求項７】
前記取付空間に位置する補助灯ユニットを更に含むことを特徴とする請求項１に記載の前照灯。
【請求項８】
前記ケーシングユニットは、ケーシングと、前記ケーシングの前側に位置し、かつ光透過可能な出射光カバーとを含み、前記出射光カバーと前記ケーシングが共同で前記取付空間を画成することを特徴とする請求項１に記載の前照灯。
【考案の詳細な説明】
【技術分野】
【０００１】
本考案は、前照灯に関し、特に、車両のハイビーム、ロービーム、ウインカー等灯具の前照灯に関する。
【背景技術】
【０００２】
現在、車両の前照灯の設計において、前照灯のランプハウジング内に同時に複数の発光モジュールを設ける構造があり、それら発光モジュールは独立して発光でき、かつそれら発光モジュールの光線が共同で組み合わされて機能的なランプを形成し、例えば複数の発光モジュールは共同でハイビーム又はロービームを形成する。発光モジュールは、ランプハウジング内に取り付けられた後、各発光モジュールの取り付け角度を微調整することで、発光モジュールから出射される光線の角度を正確にすることで法規の要求に適合させる。ただし、上記前照灯の発光モジュールは、一つ一つ分けて該ランプハウジング内に組み込められるため、出射光角度の調整上でも各発光モジュールについて一つずつ角度の調整を行わなければならないが、何度も繰り返される調整動作により、調整の時間・手間による消耗が生じてしまう。かつ各発光モジュールは、各自独立して調整が行われるため、いずれかの発光モジュールを調整した時、その他の発光モジュールと組み合わせることができるように、調整されたばかりの発光モジュールを更に微調整しなければならないことが判明し、これにより調整したばかりの発光モジュールをまた改めて微調整し直すため、それら微調整動作は複数の発光モジュールの間において繰り返して実施されるため、非常に手間がかかる。
【考案の概要】
【考案が解決しようとする課題】
【０００３】
よって、本考案は、便利かつ迅速に出射光角度を調整できる前照灯を提供することを目的とする。
【課題を解決するための手段】
【０００４】
そこで、本考案に係る前照灯は、取付空間を画成するケーシングユニットと、取付座と、複数の発光ユニットと、調整ユニットとを含む。該取付座は、該取付空間に設けられ、複数の取付部を包括する。それら発光ユニットは、各々該取付座のそれら取付部に取り付けられ、各発光ユニットが発光部材と、該発光部材の前側に位置し、該発光部材の光が前へ通るために供されるレンズとを含む。該調整ユニットは、該取付座上に取り付けられ、該取付座の角度位置を調整するために用いられる調整部材を包括する。
【考案の効果】
【０００５】
該ケーシングユニット内に設けられた該取付座を通じてそれら発光ユニットの取り付けに供され、出射光角度を調整する時、該取付座の角度位置のみを調整すると、一回で同時にそれら発光ユニットの出射光角度の調整を完成させることができ、調整時非常に便利かつ迅速である。
【０００６】
本考案その他の特徴及び効果は、図面の実施形態において明確に示されている。
【図面の簡単な説明】
【０００７】
【図１】本考案の実施例１に係る前照灯の立体分解図である。
【図２】該実施例１の取付座及び複数の発光ユニットを示す立体分解図である。
【図３】発光ユニットと該取付座の構成要素組立関係を示す部分的な立体分解図である。
【図４】側面断面図であり、該実施例１の調整部材を回転した後、該取付座の角度位置が変えられることを説明し、図面を明確にさせるため、図内において構成要素の断面線を描いていない。
【図５】立体図であり、本考案に係る前照灯の実施例２を説明し、図内では該前照灯内部の構成要素を明確に表示するため、該実施例２の出射光カバーを省略した。
【考案を実施するための形態】
【０００８】
本考案が詳細に記述される前、留意すべき点は下記の説明内容において、類似の構成要素が同一の符号で示されている。
【実施例１】
【０００９】
図１〜図４を参照すると、本考案の実施例１に係る前照灯は、交通用具、例えば車両への取り付けに適し、ケーシングユニット１と取付座２と複数の発光ユニット３と調整ユニット４と補助灯ユニット５と、を含む。
【００１０】
該ケーシングユニット１は、ケーシング１１と、該ケーシング１１の前側に位置し、かつ光透過可能な出射光カバー１２とを含み、該出射光カバー１２と該ケーシング１１を突き合わせて組み立てると共に共同で取付空間１０を画成する。
【００１１】
該取付座２は、該取付空間１０に設けられ、左右に配列された複数の取付部２１と、それら取付部２１の上方に位置する調整部２２と、それら取付部２１の下方に位置し、かつ該ケーシング１１上に枢結する結合部２３とを含む。各取付部２１は、前後方向に貫通する取付穴２１０を環囲して画成する周壁２１１を包括する。該調整部２２に調整孔２２０が形成され、該調整孔２２０はネジ穴である。該結合部２３に結合孔２３０が形成され、図に示されていない枢軸を該結合孔２３０に挿通することで、該結合部２３と該ケーシング１１を結合させることができる。かつ該結合部２３は、動かないように該ケーシング１１と結合することなく、該ケーシング１１に対して少し移動して位置を調整できる。
【００１２】
それら発光ユニット３は、各々該取付座２のそれら取付部２１に取り付けられる。各発光ユニット３は、各自の取付穴２１０に設けられると共に各自の周壁２１１で環囲される。各発光ユニット３は、水平に置いた回路基板３１と、該回路基板３１に電気的に接続する発光部材３２と、環状を呈し、対応の周壁２１１で環囲された組立座３３と、該発光部材３２の前側に位置し、該発光部材３２の光が前へ通るために供されるレンズ３４と、該発光部材３２の光を該レンズ３４に向かって反射するために用いられる反射カバー３５と、放熱部材３６とを含む。該発光部材３２は、略上向きに発光し、該反射カバー３５が大まか該発光部材３２上方及び後方の位置を覆い、該発光部材３２の光を前向きに反射して光が該レンズ３４及び出射光カバー１２を通って出射させることができる。該レンズ３４及び該反射カバー３５は、各々該組立座３３の前側及び後側に組み立てられている。該放熱部材３６は、該回路基板３１をその頂面に設けるために供される放熱基部３６１と、該放熱基部３６１の後方に位置する複数の放熱フィン３６２とを含み、該放熱基部３６１が該組立座３３内に延入して該組立座３３と固定する。
【００１３】
該調整ユニット４は、該取付座２上に取り付けられる調整部材４１と、該調整部材４１に電気的に接続するモータ４２とを含む。具体的には、本実施例の調整部材４１は、スクリューであり、該調整部２２の調整孔２２０に挿入して螺接される。該調整部材４１は、該モータ４２の駆動により回転でき、該取付座２を少し移動させることで取付座２設置の角度位置（図４の破線は該取付座２移動後の様子を示す）を変更し、またそれら発光ユニット３は該取付座２上に取り付けられるため、該取付座２の角度位置を変更し、それら発光ユニット３の光射出角度の調整に相当する。
【００１４】
該補助灯ユニット５は、該取付空間１０に位置すると共にそれら発光ユニット３の一側に設けられる。該補助灯ユニット５は、例えば昼間走行灯又はウインカー或いはその他の機能の誘導灯若しくは照明灯であり、本考案に係る前照灯の機能を増やすこともできる。
【００１５】
本実施例の組み立てる時、各発光ユニット３は先にモジュールとして組み立てられてからそれら発光ユニット３を一つずつ該取付座２のそれら取付部２１上に装着し、組立方法は各発光ユニット３を各自の取付穴２１０の後方から前方へ取付穴２１０内に組み込み、またネジ締結又は係合等の方式により、発光ユニット３と周壁２１１を固定できる。発光ユニット３と取付座２が組み立てられた後、該モータ４２により該調整部材４１を駆動してその場で回転し、調整部材４１が該調整孔２２０と螺接するため、該取付座２は調整部材４１の回転動力で駆動されて少し前後移動でき、該取付座２角度位置変更の効果を奏し、従ってそれら発光ユニット３の出射光角度を調整できる。
【００１６】
本考案の使用時、前記複数の発光ユニット３から共同で組み合わせて予定機能のランプを形成し、例えば全ての発光ユニット３は組み合わせてハイビームを形成し、又は全ての発光ユニット３が組み合わせてロービームを形成し、或いはハイビーム及びロービーム機能を兼ね備えることができ、それら発光ユニット３のうちの幾つかが組み合わせてハイビームを形成し、別の幾つかが組み合わせてロービームを形成する。具体的には、車両の左右両側に本考案の前照灯が各々配置され、すなわち、本考案は車両の左側前照灯又は右側前照灯とすることができ、それら発光ユニット３のうちの車両中央に近い２個の発光ユニット３が組み合わせてハイビームを形成し、外側に近い３個の発光ユニット３が組み合わせてロービームを形成する。それら発光ユニット３から投射した光の形、光強度、照射角度等の光学特性は、法規の規定に適合する。出射光角度の調整は、前に述べるように該調整ユニット４を通じて調整する。
【００１７】
ここで言及すべき点は、本実施例は電気制御方式で該調整部材４１の回転を駆動するが、実施時に該モータ４２を省略し、手動方式で該調整部材４１を回転することもでき、こうして同様に出射光角度の調整目的を達成できる。本実施例の発光ユニット３の数量は、５個で、前記取付部２１の数量も５個であるが、実施時に５個に限られるものではなく、例えば２個、３個、４個等とすることもできる。
【００１８】
上記をとりまとめ、該取付座２の設置を通じ、かつ該取付座２は該ケーシングユニット１から独立し、該ケーシングユニット１内に別途装着する構成要素である。取付座２は、前記複数の取付部２１を包括し、構造がそれら発光ユニット３と各々マッチできるため、各モジュール化された発光ユニット３の取り付け時非常に容易し、一つずつそれら取付部２１上に装着されるだけでよく、本考案の構成要素の組立は迅速かつ便利である。かつ出射光角度を調整する時、該取付座２の角度位置のみを調整すると、１回で同時にそれら発光ユニット３の出射光角度の調整を完成でき、調整時非常に便利かつ迅速である。
【実施例２】
【００１９】
図５を参照すると、本考案の実施例２に係る前照灯は、該実施例１の構造とほぼ同じである。相違点は、本実施例２の発光ユニット３の数量が４個で、４個のそれら発光ユニット３の設置を通じて該実施例１と同じ効果を奏することができることである。本実施例２のそれら発光ユニット３のうちの車両中央に近い２個の発光ユニット３が組み合わせてハイビームを形成し、外側に近い２個の発光ユニット３が組み合わせてロービームを形成する。
【００２０】
また、本考案も３個の発光ユニット３を包括するよう設計でき、この場合車両中央に近い２個の発光ユニット３が組み合わせてハイビームを形成し、外側に近い１個の発光ユニット３がロービームとし、又は車両中央に一番近い該発光ユニット３はハイビームとし、外側に近い別の２個の発光ユニット３が組み合わせてロービームを形成するよう設計できる。
【００２１】
以上に述べたものは、本考案の実施例であって、本考案の実施範囲がこのような実施例のみに限定されるべきものではなく、本考案の実用新案登録請求の範囲及び明細書の内容に基づいて行われる種々の変形又は修飾は、いずれも本考案の実用新案登録請求の範囲にカバーされる。
【符号の説明】
【００２２】
１      ケーシングユニット
１０    取付空間
１１    ケーシング
１２    出射光カバー
２      取付座
２１    取付部
２１０  取付穴
２１１  周壁
２２    調整部
２２０  調整孔
２３    結合部
２３０  結合孔
３      発光ユニット
３１    回路基板
３２    発光部材
３３    組立座
３４    レンズ
３５    反射カバー
３６    放熱部材
３６１  放熱基部
３６２  放熱フィン
４      調整ユニット
４１    調整部材
４２    モータ
５      補助灯ユニット
【図１】
0003215982.tif 000003
【図２】
0003215982.tif 000004
【図３】
0003215982.tif 000005
【図４】
0003215982.tif 000006
【図５】
0003215982.tif 000007